(57)【要約】      （修正有）【課題】  表示具を別途設けることなく、従来の６面体形状の包装箱の紙取りと同様の紙取りのまま、簡便な設計及び低コストで表示具を効率良く設置できる包装箱を提供する。【解決手段】  側方側壁２の上縁に連設する内フラップ７に、後方側壁３の上縁３ａに連設する蓋８を重ねて天面を覆う６面体形状の包装箱１０であって、前方側壁１を構成する部分を含み、切離し線１６を介して包装箱１０から切り離される表示具１２と、蓋８を後方側壁３から上方に立設させる立設保持手段１８と、表示具１２及び蓋８に設けられ、表示具１２を蓋８に差込み係止させる差込みスリット１３，１４とを備える。また、立設保持手段１８は、後方側壁３の上縁３ａと平行な方向に延設して蓋８に設けられ、蓋８を二つ折りに折曲げさせる二つ折り線１０と、後方側壁３に設けられ、二つ折りされた蓋８の先端９が係止される係止スリット１５とからなる。【選択図】      図１
2006188238.tif 000002
【特許請求の範囲】
【請求項１】
側方側壁の上縁に連設する内フラップに、後方側壁の上縁に連設する蓋を重ねて天面を覆う６面体形状の包装箱であって、前方側壁を構成する部分を含み、切離し線を介して前記包装箱から切り離される表示具と、前記蓋を後方側壁から上方に立設させる立設保持手段と、前記表示具及び／又は前記蓋に設けられ、前記表示具を前記蓋に差込み係止させる差込みスリットとを備える包装箱。
【請求項２】
前記立設保持手段は、前記後方側壁の上縁と平行な方向に延設して前記蓋に設けられ、前記蓋を二つ折りに折曲げさせる二つ折り線と、前記後方側壁に設けられ、二つ折りされた前記蓋の先端が係止される係止スリットとからなる請求項１記載の包装箱。
【請求項３】
前記差込みスリットは前記蓋の中間部分に設けられ、前記後方側壁の上縁と平行な方向に延設して該上縁と垂直な方向に間隔をおいて複数形成されている請求項１又は２に記載の包装箱。
【請求項４】
前記表示具となる部分の表側に印刷が施されている請求項１〜３のいずれかに記載の包装箱。
【請求項５】
陳列箱として使用する際に、前記天面を閉止する前記蓋を開放し、該蓋を前記立設保持手段により後方側壁から上方に立設させると共に、前記包装箱から切り離した表示具を、前記差込みスリットを介して係止することにより前記立設した蓋に支持させて、前記後方側壁よりも高い位置に取り付ける請求項１〜４のいずれかに記載の包装箱。
【発明の詳細な説明】
【技術分野】
【０００１】
この発明は、商品の包装及び陳列に使用する紙製の包装箱に関するものである。
【背景技術】
【０００２】
複数の製品を収容する包装箱として、折り線や切りこみ線等を設けた１枚の板紙から６面体形状の箱を形成するものが一般的に用いられる。これらの包装箱は、店頭で商品を陳列する際にも使用されることがあり、この場合に、商品の識別性を上げるために、開封した包装箱にプラスチック製の表示具を取り付けることがある。
【０００３】
プラスチック製の表示具は、廃棄すると環境への悪影響を与える恐れがあることから、内フラップに切目線を介して紙製の表示具を連設し、陳列時に切り取って使用するものが開示されている（例えば、特許文献１参照）。また、包装箱を陳列する際に組み立て直すことにより、包装箱の裏面を表示具として用いるものも開示されている（例えば、特許文献２参照）。
【特許文献１】特開２００１−１８０６５９号公報
【特許文献２】実公平４−４７０６４号公報
【発明の開示】
【発明が解決しようとする課題】
【０００４】
しかしながら、特許文献１の表示具付き包装箱の如く、表示具を紙製にしてプラスチック製の表示具を用いないようにしても、包装箱に用いる板紙材料以外に余分に表示具を設ける必要があるため、紙の使用量が多くなったり、紙取りが悪くなったり、或いは表示具に別途、印刷するといったことから、コストが高くなる問題がある。また、特許文献２の展示兼用輸送箱の如く、表示面として包装箱の裏面を用いると、包装箱の裏面にも印刷する必要があり、包装箱の設計が複雑になると共に、陳列の際にも、包装箱を組み立て直す手間がかかる。
【０００５】
本発明は、表示具を別途設けることなく、従来の６面体形状の包装箱の紙取りと同様の紙取りのまま、簡便な設計及び低コストで表示具を効率良く設置できる包装箱を提供することを目的とする。
【課題を解決するための手段】
【０００６】
本発明は、側方側壁の上縁に連設する内フラップに、後方側壁の上縁に連設する蓋を重ねて天面を覆う６面体形状の包装箱であって、前方側壁を構成する部分を含み、切離し線を介して前記包装箱から切り離される表示具と、前記蓋を後方側壁から上方に立設させる立設保持手段と、前記表示具及び／又は前記蓋に設けられ、前記表示具を前記蓋に差込み係止させる差込みスリットとを備えるものである。
【発明の効果】
【０００７】
本発明の包装箱は、陳列箱として使用する際に、６面体形状の包装箱の前方側壁を構成する部分を含む部分を表示具として活用することで、プラスチック製の表示具を別途設けたり、包装箱を構成する板紙以外に紙取りをしたり、表示具を別途設ける必要がなく、従来の紙取りのまま、効率良く表示具を設けることができる。
【発明を実施するための最良の形態】
【０００８】
図１に示す本発明の好ましい一実施形態に係る包装箱２０は、紙製の６面体形状の包装箱であって、例えば図２に示すような、従来の６面体形状の包装箱の紙取りと同様の紙取りのブランク（板紙）２１を用いて形成されるものである。また、本実施形態の包装箱２０は、例えば内部に収容物として複数の商品１７を収容し（図４参照）、天面の開口を蓋８で覆って閉止した状態で中箱として用いられ、搬送時には段ボール等の外箱に複数収容されて取り扱われると共に、搬送後は外箱から取り出されて、例えば店頭において陳列用の陳列箱としても使用されるものである。
【０００９】
そして、本実施形態の包装箱２０は、一対の側方側壁２の上縁に連設する内フラップ７に、後方側壁３の上縁に連設する蓋８を重ねて天面を閉止する６面体形状の紙製の箱であって、前方側壁１を構成する部分を含み、切離し線１６を介して包装箱２０から切り離される表示具１２と、蓋８を後方側壁３から上方に立設させる立設保持手段１８と、表示具１２及び／又は蓋８に設けられ、表示具１２を蓋８に差込み係止させる差込みスリット１３，１４とを備えている。
【００１０】
また、本実施形態の包装箱２０では、立設保持手段１８は、後方側壁３の上縁３ａと平行な方向に延設して蓋８に設けられ、蓋８を二つ折りに折曲げさせる二つ折り線１０と、後方側壁３に設けられ、二つ折りされた蓋８の先端の差込片９が係止される係止スリット１５とからなる。
【００１１】
さらに、本実施形態の包装箱２０では、立設させた蓋８に表示具１２が取り付けられる個所である第２差込みスリット１４は、蓋８の中間部分に設けられ、後方側壁３の上縁３ａと平行な方向に延設して該上縁３ａと垂直な方向に間隔をおいて複数形成されている。
【００１２】
本実施形態の包装箱２０を形成するための図２に示すブランク２１では、前方側壁１の両側縁に側方側壁２が連設され、一方の側方側壁２の外側縁には後方側壁３が、他方の側方側壁２の外側縁には継代片４がそれぞれ連設されている。前方側壁１及び後方側壁３の下縁には底片５が、側方側壁２の下縁には底板６がそれぞれ連設され、側方側壁２の上縁には内フラップ７が、後方側壁３の上縁３ａには蓋８がそれぞれ連設されている。蓋８の先端部には差込片９が設けられ、蓋８を横断する位置には、両側部分に各々配置される例えば半切線からなる二つ折り線１０と、これらの二つ折り線１０を中間部分で連結するコの字形状の切目線１１が形成されている。
【００１３】
また、前方側壁１には、切離し線１６を介して包装箱２０から切り離し可能な部分として、倒立台形形状の表示具１２が設けられている。表示具１２には、例えば蓋８に取り付けられる際の安定性を向上させるための一対の第１差込みスリット１３が、倒立台形状の底辺部分から上方に向けて直線状に平行に延設して設けられている。なお、第１差込みスリット１３は、表示具の正立性を良くすると共に、表示具がすぐに外れないようにするために、差込辺となる底辺部分を三等分するように２本形成することが好ましい。また第１差込みスリット１３の形状としては、直線形、ハ形、逆ハ形等が考えられるが、直線で平行に延設する形状とすることが好ましい。
【００１４】
ここで、表示具１２を包装箱２０から切り離すための切離し線１６としては、ジッパーやミシン目等を採用することができるが、表示具１２の切断面をきれいに見せるためには、表示具１２の頂点部分のみを止めておき、残りは切断線を入れておくことが好ましい。
【００１５】
また、包装箱２０から切り離される表示具１２の形状は、長方形、楕円形、Ｕ字形、星形等にすることができるが、表示具１２を切り取った後、中の商品の展示効果と取り出しやすさを考慮すると倒立台形状に切り離すことが好ましく、前方側壁１に占める表示具１２の面積の割合は２／３程度とすることが好ましい。前方側壁１だけでなく側方側壁２にもかかるように、表示具１２を切り離すこともできる（図５参照）。
【００１６】
さらに、包装箱２０を形成するためのブランク２１を構成する材質としては、板紙、板紙と合成樹脂層の積層体等が使用できる。板紙としては２００〜５００ｇ／ｍ2のものが適当である。板紙と合成樹脂層の積層体の場合は、板紙の表面に印刷した後、印刷面をポリプロピレン、ポリエチレンテレフタレート等のフィルムや塩化ビニル−酢酸ビニル共重合体、塩化ビニル−アクリル共重合体等で覆って使用される。板紙の表面に合成樹脂層を形成することで、輸送中の段ボール等による外箱の中での摩擦による印刷落ちの防止と、表面光沢による優れた展示効果が得られる。
【００１７】
さらにまた、ブランク２１には、これの表面側に、表示具１２となる部分を含めて適宜印刷が施される。ブランク２１の表面側に印刷を施す際に、表示具１２の印刷も兼ねて同時に行うことができるので、表示具に別途印刷する工程を省略することが可能になり、作業の簡略化を図ることができる。また表示具１２となる部分の表側に例えば商品名や商品コンセプト等が効率良く印刷されるので、陳列時における表示具１２を用いた商品の陳列効果が向上することになる。
【００１８】
上記のようなブランク２１から包装箱２０を組み立てて商品１７を包装するには、図１に示すように、従来の包装箱と同様に、前方側壁１、一対の側方側壁２及び後方側壁３が４方の周壁を形成するすように筒状に折り曲げ、継代片４を後方側壁３に貼着する。また底片５と底板６とを一組ずつ貼り合わせ、対向する底板６同士を係合させて底面を閉塞する。その後、包装箱２０の内部に商品１７を収納し、内フラップ７を内側へ折り曲げ、蓋８を閉じ、差込片９を前方側壁１と内フラップ７の側縁との間の隙間に差し込んで天面を封緘する。
【００１９】
包装箱２０を用いて例えば店頭で商品１７を陳列する際には、蓋８を開け、必要に応じて収納した商品１７を適宜取り出すと共に、表示具１２を切離し線１６を介して切り離し、好ましくは両側の内フラップ７を取り除く。しかる後に、図３に示すように、蓋８を二つ折り線１０に沿って内側に折り返すようにして二つ折りにし、後壁３に設けられた半円形状の係止スリット１５に差込片９を差し込む。これによって、蓋８は、二つ折りにされて後方側壁３から上方に立設する状態を保持すると共に、コの字形状の切目線１１によって３方を囲まれる矩形形状の突出片１９が、上方に突出して配置されることになる。
【００２０】
次に、切り離した表示具１２を、印刷が施された面を表側にし、蓋８に形成された複数の第２差込みスリット１４から任意の一本を選択して、一対の第１差込みスリット１３によって挟まれる中央部分を第２差込みスリット１４に差し込む。また第１差込みスリット１３の外側の両側部分を蓋８の表面側にはみ出させて、当該中央部分及び両側部分により第２差込みスリット１４の下方部分を両側から挟み込みようにしつつ底辺部分を蓋８に係止して、表示具１２を、蓋８に沿って後方側壁３よりも上方に立設させた状態で取り付ける。しかる後に、一旦取り出した商品１７を適宜収納し直すことにより、図４に示すように、表示具１２によって陳列効果が向上した陳列箱が得られることになる。
【００２１】
したがって、本実施形態の包装箱２０によれば、表示具を別途設けることなく、従来の６面体形状の包装箱の紙取りと同様の紙取りのまま、簡便な設計及び低コストで、陳列箱として用いる際に表示具１２を効率良く設置することを可能にして、陳列効果を向上させることができる。
【００２２】
また、本実施形態によれば、第２差込みスリット１４が後方側壁３の上縁３ａと垂直な方向に間隔をおいて複数形成されているので、表示具１２を差し込むべき第２差込みスリット１４を選択することにより、例えば店頭での陳列スペースを考慮しながら、表示具１２の高さを調節することが可能になる。なお、表示具１２は、出来るだけ高い位置に取り付ける方が、陳列効果が向上するものと考えられる。
【００２３】
図５は、本発明の他の実施形態に係る包装箱２２を示すものである。図５に示す包装箱２２では、表示具１２ａは、側方側壁２の一部２ａを含んで切り離されると共に、４本の折曲げ案内線２３を介して折り曲げられて立体形状に形成される。また、外側に配置される２本の折曲げ案内線２３の下部には、第３差込みスリット２４が設けられており、この第３差込みスリット２４よりも外側部分を、蓋８に設けられた第２差込みスリット１４に差し込んで係止することにより、立体形状の表示具１２ａを蓋８に沿って取り付けるようにしたものである。
【００２４】
図５に示す包装箱２２によっても、上記実施形態の包装箱２０と同様の作用効果が奏されると共に、表示具１２ａが立体形状に設けられることにより、例えば側方からの視認を容易にして、陳列箱としての陳列効果をさらに向上させることが可能になる。
【００２５】
なお、本発明は上記各実施形態に限定されることなく種々の変更が可能である。例えば表示具と蓋の双方に差込みスリットを設ける必要は必ずしもなく、表示具に差込みスリットを形成せずに、表示具の底辺部分を蓋の差込みスリットに単に差し込んで表示具を取り付けることもできる。また、図６に示すように、蓋８に差込みスリットを設けることなく、例えば蓋８を横断して一直線に連続形成した二つ折り線１０ａを介して蓋８を二つ折りにして立設させると共に、立設した蓋８の上縁部分を、表示具１２に形成した一対の第１差込みスリット１３の間の中央部分と、これの外側の両側部分とによって挟み込むようにして、表示具１２を蓋８に取り付けるようにしても良い。
【００２６】
さらに、二つ折りされた蓋８の先端が係止される係止スリットは、半円形状以外の長方形、三角形等とすることもできる。また係止スリットを形成して立設保持手段を構成させる必要は必ずしもなく、例えば二つ折りされた蓋８の先端を、収納される商品１７と後方側壁３の内側面との間の隙間に差し込み、当該収納される商品１７自体を立設保持手段として利用しつつ、蓋８を立設状態に保持するようにすることもできる。
【図面の簡単な説明】
【００２７】
【図１】本発明の好ましい一実施形態に係る包装箱の斜視図である。
【図２】包装箱を形成するブランクの平面図である。
【図３】包装箱を陳列箱として用いる際の組立て状態を説明する斜視図である。
【図４】包装箱を陳列箱として用いた状態の斜視図である。
【図５】本発明の他の実施形態に係る包装箱の説明図である。
【図６】表示具の他の取付け形態を説明する斜視図である。
【符号の説明】
【００２８】
１  前方側壁
２  側方側壁の一部
２ａ  側方側壁
３  後方側壁
３ａ  後方側壁の上縁
４  継代片
５  底片
６  底板
７  内フラップ
８  蓋
９  差込片
１０，１０ａ  二つ折り線
１１  切目線
１２，１２ａ  表示具
１３  第１差込みスリット
１４  第２差込みスリット
１５  係止スリット
１６  切離し線
１７  商品
１８  立設保持手段
１９  突出片
２０，２２  包装箱
２１  ブランク
２３  折曲げ案内線
２４  第３差込みスリット
【図１】
2006188238.tif 000003
【図２】
2006188238.tif 000004
【図３】
2006188238.tif 000005
【図４】
2006188238.tif 000006
【図５】
2006188238.tif 000007
【図６】
2006188238.tif 000008